(57)【特許請求の範囲】
【請求項１】
回動駆動するカム枠と、当該カム枠のカム溝に突入させたカムピンを設けた移動枠とを備え、当該移動枠を上記カム枠の回転に連動させて光軸方向に移動させるズームレンズ鏡胴において、
上記カム枠には、幅広のカム溝を螺旋状に形成する他、
上記移動枠をカバーするようにして鏡胴前端から突出させ、かつ、当該移動枠に対し光軸方向に移動自在に設けた保護枠と、
上記移動枠のカムピンと共に、上記カム枠の幅広のカム溝に突入させるようにして上記保護枠に設けたカムピンと、
上記移動枠の先端側には段形部を形成し、上記保護枠の前端にはフランジ部を形成して、該段形部と該フランジ部との間に設けた弾性材とを備え、
上記弾性材によって、上記移動枠に後退勢力を与えて上記カムピンを幅広形成した上記カム溝の溝後面に、上記保護枠に進出勢力を与えて上記カムピンを幅広形成した上記カム溝の溝前面に各々圧接させるようにし、
ズームレンズ鏡筒に衝撃などの外力が加わった場合、上記保護枠のカムピンが上記の弾性材の勢力に抗して上記カム溝の溝前面から離れて溝内を移動することに伴い当該保護枠が後退して上記した外力を吸収する構成としたことを特徴とするズームレンズ鏡胴。
【発明の詳細な説明】
【０００１】
【発明の属する技術分野】
この発明は、銀塩フイルムカメラ、電子カメラ、ビデオカメラなどの撮影装置に備えるズ−ムレンズ鏡胴に関する。
【０００２】
【従来の技術】
従来から広く知られている撮影装置のズ−ムレンズ鏡胴としては、螺旋状に形成した複数のカム溝を有するカム枠と、変倍用のレンズを支持させた複数の移動枠とを備えると共に、移動枠に設けたカムピンをカム枠のカム溝に突入させた構成となっている。
【０００３】
このようなズ−ムレンズ鏡胴は、カム枠を定位置で回転駆動させることにより、カム溝とカムピンによって連動される移動枠が非回動で光軸方向に進退動し、これより、各レンズが変位してズ−ミングが行なわれる。
【０００４】
【発明が解決しようとする課題】
上記したようなカム枠を備えるズ−ムレンズ鏡胴は、カム溝とカムピンとの接触程度の調整が難しく、その調整に多くの時間と費用を費やしている。
【０００５】
カムピンとカム溝の溝面との間の機械的ガタが少なすぎると、カムピンの連動負荷が大きくなるために、カム枠によるスム−スな連動が困難となる他、カム枠をモ−タ駆動するものでは電力消費が増大すると言う問題が生ずる。
【０００６】
また、カムピンとカム溝の溝面との間の機械的ガタを大きくした場合には、移動枠がカムピンを支点として傾くためにレンズの位置精度を満たすことができずに解像度が低下すると言う問題が生じる。
このようなことから、カム溝とカムピンとの調整作業には時間がかかることになる。
【０００７】
一方、カムピンとカム溝の溝面とを適度に接触する手段として、カムピンを板ばねなどの弾性体を用いてカム溝に押し当てる構成のものがある。
【０００８】
しかし、このような構成手段では、機械的なガタは吸収することはできるが、レンズ鏡胴に衝撃などの外力がかかった場合にカムピンがカム溝から脱係すると言う問題があった。
【０００９】
なお、脱係を防ぐために弾性体であるカムピンの変形を抑制した場合は、カム溝やカムピンに損傷を与えることになり、レンズ鏡胴の精度に影響を与えることになる。
【００１０】
本発明は上記した実情にかんがみ、カムピンとカム溝との調整を容易化すると共に、カム枠とカムピンとの連動機構の機械的強度を高めるズ−ムレンズ鏡胴を提供することを目的とする。
【００１１】
【課題を解決するための手段】
上記した目的を達成するため、本発明では、回動駆動するカム枠と、当該カム枠のカム溝に突入させたカムピンを設けた移動枠とを備え、当該移動枠を上記カム枠の回転に連動させて光軸方向に移動させるズームレンズ鏡胴において、上記カム枠には、幅広のカム溝を螺旋状に形成する他、上記移動枠をカバーするようにして鏡胴前端から突出させ、かつ、当該移動枠に対し光軸方向に移動自在に設けた保護枠と、上記移動枠のカムピンと共に、上記カム枠の幅広のカム溝に突入させるようにして上記保護枠に設けたカムピンと、上記移動枠の先端側には段形部を形成し、上記保護枠の前端にはフランジ部を形成して、該段形部と該フランジ部との間に設けた弾性材とを備え、上記弾性材によって、上記移動枠に後退勢力を与えて上記カムピンを幅広形成した上記カム溝の溝後面に、上記保護枠に進出勢力を与えて上記カムピンを幅広形成した上記カム溝の溝前面に各々圧接させるようにし、ズームレンズ鏡筒に衝撃などの外力が加わった場合、上記保護枠のカムピンが上記の弾性材の勢力に抗して上記カム溝の溝前面から離れて溝内を移動することに伴い当該保護枠が後退して上記した外力を吸収する構成としたことを特徴とするズームレンズ鏡胴を提案する。
【００１２】
この発明のズームレンズ鏡胴は、移動枠のカムピンがカム溝の溝後面に、保護枠のカムピンがカム溝の溝前面に各々勢力部材の付勢力によって圧接しているので、移動枠のカムピンが摺動するカム溝の溝後面のめの精度を確保すればよく、また、そのカムピンは付勢力によってカム溝の後面に圧接するので、その機械的ガタが吸収される。
【００１３】
さらに、レンズ鏡胴に衝撃などの外力が加わった場合、保護枠が後退してその外力を吸収する。
すなわち、保護枠のカムピンが付勢力によってカム溝の溝前面に圧接しているので、このカムピンがその溝前面から離れ、カム溝内で後退動することから、保護枠が外力に応じて後退し、その外力を吸収する。
【００１４】
この結果、移動枠のカムピンとこのカムピンが摺動するカム溝の溝後面には影響を与えないことから、外力によってカムピンが脱係したり、カムピンやカム溝が損傷したりすることがない。
【００１８】
【発明の実施の形態】
次に、本発明の一実施形態について図面に沿って説明する。
図１は、本発明のズ−ムレンズ鏡胴を装備したカメラの斜視図である。
【００１９】
このカメラ１０のズ−ムレンズ鏡胴１１は、カム枠１２を回転操作することにより、このカム枠１２が定位置で回転し、移動枠１３やその他の移動枠をカム連動して進退させる構成となっている。
なお、移動枠１３には対物レンズ１４（前群レンズ）が支持させてある。
【００２０】
図２は上記したカム枠１２と移動枠１３とのカム連動機構を示した簡略的な断面図である。
図示するようにカム枠１２は円筒状の枠体で、その内周面には、幅広のカム溝１２ａを螺旋状に形成し、このカム溝１２ａに移動枠１３のカムピン１３ａと保護枠１５のカムピン１５ａとを突入させてある。
【００２１】
カム枠１２のカム溝１２ａは、カムピン１３ａ又はカムピン１５ａのピン径に比べて充分に広い溝幅に形成し、特に、カムピン１５ａについては、そのカム溝１２ａ内の溝幅方向の少ない距離で後退動できるようになっている。
【００２２】
移動枠１３は、保護枠１５を介在させてカム枠１２内に設けた円筒状の枠体で、その後端外周部に上記したカムピン１３ａを固着し、その前端側に対物レンズ１４が支持させてある。
【００２３】
保護枠１５は、移動枠１３のほぼ全体をカバ−するようにした円筒状の枠体で、カム枠１２と移動枠１３の間に配設してあり、その後端外周部には上記したカムピン１５ａが固着してある。
なお、この保護枠１５は光軸方向（図１において左右方向）に移動自在となっている。
【００２４】
なお、上記したカムピン１３ａは移動枠１３の後端外周部の三等分位置各々の位置に、同様にカムピン１５ａが保護枠１５の後端外周部の三等分位置各々の位置に配設することが好ましい。
【００２５】
一方、移動枠１３の先端側には段形部１３ｂを形成し、この段形部１３ｂの外側に拡圧勢力作用のコイルばね１６が設けてある。
このコイルばね１６は、一端側を移動枠１３の一部１３ｃに、他端側を保護枠１５の前端フランジ１５ｂに係架させてあり、このコイルばね１６により、移動枠１３に後退勢力を、保護枠１５に進出勢力を各々与えている。
【００２６】
したがって、カムピン１３ａと１５ａがこのコイルばね１６のばね勢力によって離れる方向の移動勢力を受けるため、カムピン１３ａがカム溝１２ａの一側溝面（溝後面）に圧接し、カムピン１５ａがカム溝１２ａの他側溝面（溝前面）に圧接する。
【００２７】
上記のように構成したズ−ムレンズ鏡胴は、カム枠１２の回転によりカムピン１３ａ、１５ａが一つのカム溝１２ａによって駆動されるため、移動枠１３と保護枠１５が一体的に進退し、これより、対物レンズ１４が変位してズ−ミングが行なわれる。
【００２８】
なお、移動枠１３と保護枠１５は非回動で移動する構成となっている。
例えば、カムピン１３ａ、１５ａを固定枠の直進孔を通してカム溝１２ａに突入させ、或いは、移動枠１３と保護枠１５に設けた固定枠のキ−溝を摺動させるようにして移動枠１３と保護枠１５とを非回動に保持する。
【００２９】
また、本実施形態では、対物レンズ１４の移動枠１３について示しているが、後群レンズや補正レンズについても備える。
そして、後群レンズについてはその支持移動枠をカム枠１２の回転に連動して進退させるように構成する。
【００３０】
以上より分かるように、移動枠１３のカムピン１３ａはカム溝１２ａの一側溝面によって連動駆動するので、その一側溝面のカム精度を高くすればよく、また、カムピン１３ａはばね勢力で一側溝面に圧接しているので、機械的ガタについて吸収することができる。
【００３１】
他方、保護枠１５のカムピン１５ａが圧接するカム溝１２ａの他側溝面は、特に高い精度のカム面とする必要がなく、また、一側溝面に対して必ずしも平行させて形成する必要がない。
【００３２】
図３はズ−ムレンズ鏡胴が衝撃などの外力１７を受けたときの動作状態を示す図２同様の断面図である。
図示するように、鏡胴前方から外力１７が加わると、この外力１７が保護枠１５によって受けられるため、保護枠１５のみがコイルばね１６のばね勢力に抗して後退するようになる。
【００３３】
すなわち、カムピン１５ａがカム溝１２ａの他側溝面に圧接しているため、外力によってその溝面から離れるようになり、カム溝１２ａ内の少ない距離で後退動し、保護枠１５の後退を許容する。
【００３４】
この結果、保護枠１５の後退によって外力１７を吸収することができ、移動枠１３には影響しない。
特に、移動枠１３のカムピン１３ａとカム枠１２のカム溝１２ａには外力１７の影響がないので、カメラを落下させてしまったような場合でも、カムピン１３ａ、１５ａの脱係を防ぐことができる。
【００３５】
また、カム溝１２ａには２つのカムピン１３ａ、１５ａが突入しているので、鏡胴の上下、左右から衝撃力を受けても、カムピン１３ａとカム溝１２ａの連動には影響しない機械的の強固なズ−ムレンズ鏡胴となる。
【００３６】
図４は応用例を示す図２同様の断面図である。
この応用例のズームレンズ鏡胴は、カム枠２１に移動枠１３のカムピン１３ａを突入させるカム溝２１ａと、保護枠１５のカムピン１５ａを突入させるカム溝２１ｂとを形成した点に特徴があり、その他は図２に示すズームレンズ鏡胴と同じ構成となっている。
なお、図２に示す部材については同符号を付してその説明を省略する。
【００３７】
本応用例では、カム枠２１に２条のカム溝２１ａ、２１ｂを螺旋状に設けてあるが、このうちカム溝２１ａは従来から公知の溝幅のものであり、また、カム溝２１ｂはカム溝２１ａに比べて幅広の溝幅、例えば、ピン径の２倍程度の溝幅のものとなっている。
【００３８】
そして、この応用例では、鏡胴長を増大させないようにするため、カム溝２１ａを前側に、カム溝２１ｂを後側に位置するように形成した関係で、移動枠１３のカムピン１３ａについては保護枠１５に形成した逃孔１５ｃを通してカム溝２１ａに突入させる構成としてある。
【００３９】
このように構成したズ−ムレンズ鏡胴は、カムピン１３ａとカムピン１５ａとが近づく方向にばね勢力を受けるため、カムピン１３ａがカム溝２１ａの一側溝面（この場合、溝後面）に圧接し、保護枠１５のカムピン１５ａがカム溝２１ｂの他側溝面に圧接する。
【００４０】
したがって、移動枠１３のカムピン１３ａとカム溝２１ａとの機械的ガタが吸収される他、ズ−ムレンズ鏡胴に加わる外力１７に対しては、図５に示したようにカムピン１５ａがカム溝２１ｂ内に後退して吸収する。
この結果、図２に示すズ−ムレンズ鏡胴と同様の効果を得ることができる。
【００４１】
図６は図４に示すズ−ムレンズ鏡胴の改良例を示す図２同様の断面図である。
ここに改良例として示したズ−ムレンズ鏡胴は、保護枠１５の後端にリング枠２２を取付け、このリング枠２２と移動枠１３とに引張り作用のコイルばね２３を係架し、このコイルばね２３によって、移動枠１３には後退勢力、保護枠１５には進出勢力を与える構成としてある。
【００４２】
なお、その他は図４に示すズ−ムレンズ鏡胴と同様の構成となっており、図７は外力を受けた場合の動作状態を示している。
【００４３】
以上、本発明の実施形態および応用例について説明したが、勢力部材として設けたコイルばね１６については、ゴム、発泡材などの弾性材によって構成することができる。
【００４４】
また、本発明はレンズを支持させる移動枠にかぎらずシャッタやモ−タを支持する移動枠などについても同様に実施することができ、さらに、カム枠をモ−タ駆動によって回転させるズ−ムレンズ鏡胴についても同様に実施することができる。
【００４５】
【発明の効果】
上記した通り、本発明によれば、移動枠のカムピンが勢力部材の付勢力によってカム溝の溝後面に圧接するので、カムピンとカム溝との機械的ガタの調整が極めて容易となる。
【００４６】
また、カム枠のカム溝には移動枠のカムピンと保護枠のカムピンとを突入させてあるので、カムピンとカム溝の連動機構の機械的な強度が高く、鏡胴に衝撃的な外力が加わった場合にもカムピンの脱係及びカムピン、カム溝の損傷がほとんど生じない。
【００４７】
そして、特に、鏡胴前方より加わる外力については保護枠のみが後退してその外力を吸収することから、移動枠のカムピンとカム溝との連動機構がその外力の影響をほとんど受けないので、耐久性に優れたズ−ムレンズ鏡胴となる。
【図面の簡単な説明】
【図１】  本発明のズームレンズ鏡胴を備えたカメラの斜視図である。
【図２】  本発明の一実施形態を示すズームレンズ鏡胴の簡略的な断面図である。
【図３】  図２に示したズームレンズ鏡胴に外力が加わった場合の動作を示す図２同様の断面図である。
【図４】  応用例を示す図２同様の断面図である。
【図５】  図４に示すズームレンズ鏡胴に外力が加わった場合の動作を示す図４同様の断面図である。
【図６】  図４に示すズームレンズ鏡胴の改良例を示す図４同様の断面図である。
【図７】  図６に示すズームレンズ鏡胴に外力が加わった場合の動作を示す図６同様の断面図である。
【図１】
0004179410.tif 000002
【図２】
0004179410.tif 000003
【図３】
0004179410.tif 000004
【図４】
0004179410.tif 000005
【図５】
0004179410.tif 000006
【図６】
0004179410.tif 000007
【図７】
0004179410.tif 000008